(57)【要約】      （修正有）【課題】棺桶の蓋体に生花を装飾するための器具であり、簡易且つ迅速に蓋体に装着することができ、さらに装飾する生花は茎が長くても安定した状態に設置させることができる棺桶の生花装飾具を提供する。【解決手段】棺桶９の蓋体９１に生花８を供えるためのものであって、生花８が差し込まれる下部挿し孔２１が形成されると共に略方形状の支持面部２ａの各辺に差込み片２ｂが形成された下方支持体２と、２本の脚状部３１ａからなり上部に上部挿し孔３２が形成された山形状部と両脚状部３１ａの下端を固定片３３とした上方支持体３と、下方支持体２の差込み片２ｂ及び上部支持体３の固定片３３が収納される複数の収納凹部１１が形成されたベース体１とからなる。下方支持体２が収納凹部１１に収納され、且つ上方支持体３の上部挿し孔３２の位置は下部挿し孔２１の位置から上方に適宜の間隔を有してなる。【選択図】図３
2011152399.tif 000002
【特許請求の範囲】
【請求項１】
棺桶の蓋体に生花を供えるためのものであって、生花が差し込まれる下部挿し孔が形成されると共に略方形状の支持面部の各辺に差込み片が形成された下方支持体と、２本の脚状部からなり上部に上部挿し孔が形成された山形状部と前記両脚状部の下端を固定片とした上方支持体と、前記下方支持体の差込み片及び前記上部支持体の固定片が収納される複数の収納凹部が形成されたベース体とからなり、前記下方支持体が前記収納凹部に収納され、且つ前記上方支持体の上部挿し孔の位置は前記下部挿し孔の位置から上方に適宜の間隔を有してなることを特徴とする棺桶の生花装飾具。
【請求項２】
請求項１において、前記ベース体は、発泡合成樹脂にて形成されてなることを特徴とする棺桶の生花装飾具。
【請求項３】
請求項１又は２において、前記上方支持体の山形状部は略長方形状の帯状材を長手方向略中間にて折曲形成されて両脚状部が形成されると共に、該両脚状部の折曲位置を略中心位置にして上部挿し孔が形成されてなることを特徴とする棺桶の生花装飾具。
【請求項４】
請求項１又は２において、前記上方支持体の山形状部は上板部の幅方向両側に前記脚状部が形成され、前記上板部に前記上部挿し孔が形成されてなることを特徴とする棺桶の生花装飾具。
【請求項５】
請求項４において、前記上板部は幅方向の略中央箇所を高位置として略三角形状に形成されてなることを特徴とする棺桶の生花装飾具。
【請求項６】
請求項４において、前記上板部は幅方向の略中央箇所を低位置として略Ｖ字形状に形成されてなることを特徴とする棺桶の生花装飾具。
【請求項７】
請求項１，２，３，４，５又は６のいずれか１項の記載において、前記ベース体の下面側には接合材が装着されてなることを特徴とする棺桶の生花装飾具。
【請求項８】
請求項１，２，３，４，５，６又は７のいずれか１項の記載において、前記ベース体の収納凹部にはゲル剤が設けられてなることを特徴とする棺桶の生花支持装置。
【請求項９】
請求項８において、前記ベース体の収納凹部には塊状の吸水性スポンジが配置され、該吸水性スポンジの上方に前記ゲル剤が配置されてなることを特徴とする棺桶の生花支持装置。
【請求項１０】
請求項９において、前記吸水性スポンジは、その平面形状が前記収納凹部の底面の形状と略同等形状とした板状体としたことを特徴とする棺桶の生花支持装置。
【発明の詳細な説明】
【技術分野】
【０００１】
本発明は、棺桶の蓋体に生花を装飾するための器具であり、極めて簡易且つ迅速に蓋体に装着することができ、さらに装飾する生花は茎が長くても安定した状態に設置させることができる棺桶の生花装飾具に関する。
【背景技術】
【０００２】
従来、葬祭において、棺桶の周囲に生花が供えられることが、慣習的に行われている。そして、一般に用いられている棺桶は、通夜、告別式において、棺桶にも生花が供えられることがあるが、単に棺桶の蓋体上に生花が載せられて置いてあるだけの場合が多い。しかし、このように生花を棺桶の蓋体に載せておくだけでは、棺桶の蓋を外して葬儀の参列者が遺体と対面するときに、蓋体に載せた生花が落ちてしまったり、或いは生花を蓋から一旦、取り除いて、蓋を開けることになる。このように、蓋を開けるたびに生花を蓋からいちいち外したり、その生花を元の状態に戻したりすることは、極めて面倒なことであるのみならず、その蓋体を外したり、閉じたりする間に生花の装飾を崩してしまったり、又は床等に落としたりして、生花を汚してしまうおそれも十分にある。
【先行技術文献】
【特許文献】
【０００３】
【特許文献１】特開２００３−７９６８１
【発明の概要】
【発明が解決しようとする課題】
【０００４】
棺桶の上部に、生花を供える手段とした発明が、特許文献１に開示されている。この特許文献１によれば、棺桶の蓋に枠が備えられ、この枠に、略扁平直方体状の花差しが装着されているものである。この特許文献１によれば、蓋と共に、別の部材からなる枠体が必要であり、その枠体は、蓋と同等面積に形成されたもので、極めて大掛かりな装置となっている。
【０００５】
そのために、枠体は、蓋体と同等の面積のものが必要であるが、棺桶には、種々のサイズのものが存在しており、枠体は、種々のサイズの棺桶の蓋体に合わせたものを複数種類、用意しておかなければならない。また、枠体は、予め蓋体に対応して合わせたサイズのものであるために、生花の配置の仕方等は、最初から略決定されており、生花の飾り付けのバリエーションには、多様性が無く、単純なものとなってしまう。また、一輪挿しの生花では、茎の部分が長いと生花全体が傾いたり倒れてしまい、見た目が悪くなってしまうこともある。本発明の目的（技術的課題）は、棺桶の蓋体に生花を簡易且つ迅速に飾り付けることができ、特に茎の長い生花に対しては傾いたり倒れにくい構成とし、良好なバランス状態で、生花の装飾ができるようにすることにある。
【課題を解決するための手段】
【０００６】
そこで、発明者は、上記課題を解決すべく、鋭意、研究を重ねた結果、請求項１の発明を、棺桶の蓋体に生花を供えるためのものであって、生花が差し込まれる下部挿し孔が形成されると共に略方形状の支持面部の各辺に差込み片が形成された下方支持体と、２本の脚状部からなり上部に上部挿し孔が形成された山形状部と前記両脚状部の下端を固定片とした上方支持体と、前記支持面部の差込み片及び前記上部支持体の固定片が収納される複数の収納凹部が形成されたベース体とからなり、前記下方支持体が前記収納凹部に収納され、且つ前記上方支持体の上部挿し孔の位置は前記下部挿し孔の位置から上方に適宜の間隔を有してなる棺桶の生花装飾具としたことにより、上記課題を解決した。
【０００７】
請求項２の発明を、請求項１において、前記ベース体は、発泡合成樹脂にて形成されてなる棺桶の生花装飾具としたことにより、上記課題を解決した。請求項３の発明を、請求項１又は２において、前記上方支持体の山形状部は略長方形状の帯状材を長手方向略中間にて折曲形成されて両脚状部が形成されると共に、該両脚状部の折曲位置を略中心位置にして上部挿し孔が形成されてなる棺桶の生花装飾具としたことにより、上記課題を解決した。
【０００８】
請求項４の発明を、請求項１又は２において、前記上方支持体の山形状部は上板部の幅方向両側に前記脚状部が形成され、前記上板部に前記上部挿し孔が形成されてなる棺桶の生花装飾具としたことにより、上記課題を解決した。請求項５の発明を、請求項４において、前記上板部は幅方向の略中央箇所を高位置として略三角形状に形成されてなる棺桶の生花装飾具としたことにより、上記課題を解決した。請求項６の発明を、請求項４において、前記上板部は幅方向の略中央箇所を低位置として略Ｖ字形状に形成されてなる棺桶の生花装飾具としたことにより、上記課題を解決した。
【０００９】
請求項７の発明を、請求項１，２，３，４，５又は６のいずれか１項の記載において、前記ベース体の下面側には接合材が装着されてなる棺桶の生花装飾具としたことにより、上記課題を解決した。請求項８の発明を、請求項１，２，３，４，５，６又は７のいずれか１項の記載において、前記ベース体の収納凹部にはゲル剤が設けられてなる棺桶の生花支持装置としたことにより、上記課題を解決した。請求項９の発明を、請求項８において、前記ベース体の収納凹部には塊状の吸水性スポンジが配置され、該吸水性スポンジの上方に前記ゲル剤が配置されてなる棺桶の生花支持装置としたことにより、上記課題を解決した。請求項１０の発明を、請求項９において、前記吸水性スポンジは、その平面形状が前記収納凹部の底面の形状と略同等形状とした板状体とした棺桶の生花支持装置としたことにより、上記課題を解決した。
【発明の効果】
【００１０】
請求項１の発明では、ベース体には、複数の収納凹部が形成されている。また、下方支持体は、生花が差し込まれる下部挿し孔が形成されると共に略方形状の支持面部の各辺に差込み片が形成されている。さらに、上方支持体では、２本の脚状部からなり、上部に上部挿し孔が形成され、前記山形状部と前記両脚状部の下端には固定片が形成されたものである。そして、下方支持体の差込み片が収納凹部に差し込まれつつ収納され、前記上方支持体の両固定片が収納凹部と下方支持体の差込み片との間に挿入される構成とし、且つ上方支持体の上部挿し孔の位置は前記下部挿し孔の位置から上方に適宜の間隔を有するものである。
【００１１】
このような構成としたことで、一輪の生花の茎の部分の下部と上部とがそれぞれ下方支持体の下部挿し孔と、上方支持体の上部挿し孔によって上下方向において２点支持構造とすることができる。したがって、一輪の生花を強固に支持することができ、特に茎の長い生花が傾いたり倒れたりすることなく、略直立状に設置することができ、しかも簡易且つ迅速に生花の供え付けができるものである。また、棺桶の蓋体が外されて壁や祭壇に立て掛けられた状態としたときには、前記蓋体は直立状態に近い傾斜状態となり、これにともなって生花の茎の部分では、略水平に近い傾斜状態となり、生花の花びらの自重による垂れ下がりが生じようとするが、前記下方支持体と前記上方支持体によって、生花の茎の部分が２点状態で支持されるので生花の花びらの垂れ下がりを防止し、生花を整然とした美しい状態で飾ることができる。
【００１２】
請求項２の発明では、前記ベース体は、発泡合成樹脂から形成されたことにより、軽量化することができ、取り扱い易いものにできる。さらに、ベース体が発泡合成樹脂から形成されることで、防水性が有り、一体成形等により加工し易く、低価格にでき、量産に好適である。請求項３の発明では、上方支持体の山形状部は略長方形状の帯状材を長手方向略中間にて折曲形成されて両脚状部が形成され、該両脚状部の折曲位置を略中心として上部挿し孔が形成される構成としたものである。よって、前記帯状材を長手方向略中間にて折曲形成するのみで、その折曲箇所に上部挿し孔が位置する形状が極めて簡単に製造することができる。しかも上方支持体をこのような形状とすることで、該上方支持体をベース体の収納凹部に下方支持体と共に極めて簡易に装着することができる。
【００１３】
請求項４の発明では、上方支持体の山形状部に上板部が設けられ、該上板部に上部挿し孔が形成される構成としたものである。したがって、上部挿し孔の周縁部分の構造が強固となり、上部挿し孔による生花の茎の支持を安定させることができる。請求項５の発明では、上板部は幅方向の略中央箇所を高位置として略三角形状に形成されることにより、上方支持体を比較的強固な構造にすることができる。請求項６の発明では、上板部は幅方向の略中央箇所を低位置として略Ｖ字形状に形成されたことにより上板部によって生花の花びら部分を安定した状態で支持することができる。請求項７の発明では、ベース体を棺桶の蓋体に極めて簡単に装着することができる。請求項８の発明では、ゲル剤を設けたことにより生花を葬祭の期間中において、新鮮に維持することができる。
【００１４】
請求項９の発明では、前記吸水性スポンジが収納凹部に配置され、その上方にゲル剤が配置されるので、生花の茎の下端が吸水性スポンジの水分を吸収し、その上方のゲル剤から栄養分を吸収することができる。さらに、塊状の吸水性スポンジは、一定の形状を維持することができるものであり、生花の茎が差し込まれた状態では、収納凹部内に極めて安定且つ強固な状態で支持されることができる。さらに、前記吸水性スポンジに水分を滲み込ませておき、該吸水性スポンジ上にゲル剤が配置される構成としているので、生花の茎を吸水性スポンジに差し込むことにより、茎からの水上げを良好に保持し、生花を新鮮な状態に長時間維持することができ、生花がしおれて不良な状態になることを防止できる。      
【００１５】
請求項１０の発明では、吸水性スポンジは、平面形状が前記収納凹部の底面の形状と略同等形状に形成され、立体形状の板片となることで、吸水性スポンジの外周の４側面は、収納凹部の４個の内周壁面にそれぞれ接触し、吸水性スポンジの下面は収納凹部の底面に接触し、吸水性スポンジが不動状態に支持されることになる。これによって、茎は、不動状態の吸水性スポンジによって、強固に支持され、ゲル剤と吸水性スポンジとの両方による水分補給と、栄養分補給とを得ると共に、鮮度をより一層長持ちさせると共に、茎が常時直線状となり、茎の倒れを防止できるものである。
【図面の簡単な説明】
【００１６】
【図１】（Ａ）は本発明の生花装飾具及び生花が装着された棺桶の平面図、（Ｂ）は（Ａ）の斜視図、（Ｃ）は（Ｂ）の（ア）部拡大図である。
【図２】（Ａ）はベース体の斜視図、（Ｂ）はベース体の平面図、（Ｃ）はベース体に装飾用部材を設けた平面図である。
【図３】（Ａ）は本発明における収納凹部と下方支持体と上方支持体を分離した状態の斜視図、（Ｂ）は下方支持体と上方支持体をベース体の収納凹部に装着した状態の斜視図、（Ｃ）は、棺桶の蓋体に装着されたベース体の収納凹部に下方支持体と上方支持体によって生花が装飾された状態を示す斜視図である。
【図４】（Ａ）は本発明における収納凹部と下方支持体と上方支持体を分離した状態の縦断側面図、（Ｂ）は下方支持体と上方支持体をベース体の収納凹部に装着した状態の縦断側面図、（Ｃ）は下方支持体と上方支持体によって生花を支持する作用を示す略示図である。
【図５】（Ａ）は上方支持体の山形状部の第２実施形態を示す縦断側面図、（Ｂ）は上方支持体の第２実施形態の変形例を示す縦断側面図、（Ｃ）は上方支持体の第２実施形態の別の変形例を示す縦断側面図である。
【図６】（Ａ）は下方支持体及び上方支持体にて生花を支持しつつ設けたベース体を蓋体に装着しようとする断面図、（Ｂ）は蓋体に生花装飾具が装着された状態の断面図である。
【図７】（Ａ）はベース体の第１変形例の平面図、（Ｂ）はベース体の第２変形例の平面図である。
【図８】（Ａ）は本発明における収納凹部と下方支持体と上方支持体と筐体とを分離した状態の縦断側面図、（Ｂ）は筐体に装着された下方支持体と上方支持体をベース体の収納凹部に装着した状態の縦断側面図、（Ｃ）は下方支持体と筐体の分離した状態の斜視図である。
【図９】（Ａ）は生花を供えた生花装飾具が装着された棺桶の蓋体が立て掛けられた状態の斜視図、（Ｂ）は生花を供えた生花装飾具を立て掛け状態の蓋体に装着した要部拡大断面図である。
【図１０】（Ａ）は略裁頭角錐状とした棺桶の蓋体に対応するベース体の斜視図、（Ｂ）はベース体が蓋体の傾斜面部に装着された状態の斜視図、（Ｃ）はベース体が蓋体の傾斜面部に固着され生花が装飾された状態の断面図である。
【図１１】（Ａ）は収納凹部に吸水性スポンジとゲル剤とを配置して生花を飾り付けた状態の縦断側面図、（Ｂ）は収納凹部と吸水性スポンジとゲル剤と下方支持体とを分離した状態の縦断側面図、（Ｃ）は吸水性スポンジを収納凹部に配置しようとする状態の斜視図、（Ｄ）は（Ａ）のＸ−Ｘ矢視断面図である。
【図１２】（Ａ）は生花を供えた生花装飾具を立て掛け状態の蓋体に装着した要部拡大断面図、（Ｂ）はベース体が蓋体の傾斜面部に固着された筐体に吸水性スポンジが備えられた状態の断面図、（Ｃ）は吸水性スポンジが備えられた筐体が収納凹部に装着された縦断側面図である。
【発明を実施するための形態】
【００１７】
以下、本発明の実施形態を図面に基づいて説明する。本発明における生花装飾具は、図１に示すように棺桶９の蓋体９１に生花８を簡易且つ迅速に装飾するための器具である。本発明における生花装飾具の構成は、主にベース体１と、下方支持体２と、上方支持体３とから構成される。ベース体１は、発泡合成樹脂，木材，紙材から構成されたものであり、燃焼し易いものである。生産性及び生産効率を考慮するならば、ベース体１は発泡合成樹脂から形成されるのが好ましい。その形状は、図２に示すように略扁平円筒状又は略円板形状に形成されたものであり、適宜の厚さを有している。ベース体１には表面部１ａ，下面部１ｂ及び側面部１ｃが存在する。前記表面部１ａ及び下面部１ｂは、円形状であり、側面部１ｃは表面部１ａに対して略直角となる面である。
【００１８】
或は、前記側面部１ｃは、表面部１ａに対して傾斜面であっても構わない。ベース体１の表面部１ａ側には、複数の収納凹部１１，１１，…が形成されている。複数の収納凹部１１，１１，…は、前記ベース体１の円形中心から略放射状の列状で、等間隔（略等間隔も含む）に形成されたものである〔図２（Ａ），（Ｂ）参照〕。また、ベース体１の第１変形例として、表面部１ａ及び下面部１ｂの形状を略長円形（楕円形も含む）に形成されたものが存在する〔図７（Ａ）参照〕。さらにベース体１の第２変形例として略長方形，略正方形等の方形状に形成されたものも存在する〔図７（Ｂ）参照〕。
【００１９】
該収納凹部１１は、前記下方支持体２及び上方支持体３を収納且つ固定する役目をなす部位であり〔図３（Ｂ），図４（Ｂ）参照〕、且つこれらの部材を介して生花８が前記収納凹部１１に備え付けられる。前記ベース体１の側面部１ｃには布製，紙製又は樹脂製等の造花等の装飾用部材１２が接着剤，糊又は両面接着テープ等によって飾り付けられることもある〔図２（Ｃ）参照〕。また、前記ベース体１の下面部１ｂ側には、棺桶９の蓋体９１に固着する役目をなす粘着テープ等の接合材１３が装着される。接合材１３は、前述したように粘着テープで、さらに具体的には両面粘着テープである〔図６（Ａ）参照〕。前記ベース体１の直径は、大形サイズと小形サイズが存在し、大形サイズは、棺桶の蓋体９１の幅方向寸法に略等しく、また小型差異図は前記蓋体９１の幅方向の寸法の略半分程度であるが、これらの大きさに特に限定されず、大形サイズと小形サイズの略中間の大きさのものも存在する。
【００２０】
前記各収納凹部１１は、略正方形状の開口を有する立方体状の窪み又は貫通孔として形成されたものである。収納凹部１１が窪みとして形成されたものでは、４面の内周壁面１１ａ，１１ａ，…と、底面１１ｂから構成される。そして、４面の内周壁面１１ａ，１１ａ，…と、底面１１ｂとによって、表面部１ａに開口を有し、且つ貫通しない略立方体状の窪み又は穴として構成されることになる〔図２，図３（Ａ），図４等参照〕。前記底面１１ｂとベース体１の下面部１ｂとの間には適宜の厚さの肉厚部となる。また、収納凹部１１が貫通するタイプでは、ベース体１の表面部１ａ側から下面部１ｂ側に向かって貫通する孔として形成され、前記４面の内周壁面１１ａ，１１ａ，…のみが存在するものである。
【００２１】
次に、下方支持体２と上方支持体３は、図４（Ｂ）に示すように、一輪の生花８のみを前記ベース体１の収納凹部１１に飾る役目をなすものであり、一輪の生花８を略直立した状態で固定支持することができるものである。まず、下方支持体２は、略正方形状に形成された支持面部２ａの四辺からそれぞれ差込み片２ｂ,２ｂ,…が形成される。該差込み片２ｂは、支持面部２ａに対して略直角となるように折曲形成されている。具体的には、前記下方支持体２の材質は紙であり、方形状の支持面部２ａと４個の差込み片２ｂは、一枚の紙材ｍによって一体形成され、前記支持面部２ａの４辺に形成されたそれぞれの差込み片２ｂを前記支持面部２ａに対して略直角に折曲形成するものである。紙材ｍは、防水性を有するものが使用されることもあり、紙材ｍの表面に樹脂層が設けられた防水性又は耐水性としたものである。
【００２２】
前記支持面部２ａは、前記収納凹部１１の開口内に収まるように形成されるものであり（図４参照）、したがって収納凹部１１の開口形状よりも僅かに小さく形成される。差込み片２ｂ,２ｂ,…は、前記ベース体１の収納凹部１１内に挿入される。さらに、具体的には、前記差込み片２ｂ,２ｂ,…の下端が収納凹部１１の底面１１ｂに当接して、前記下方支持体２の支持面部２ａが収納凹部１１の表面部１ａすなわち開口面より少し低い面となる位置に設定される（図４参照）。前記下方支持体２の支持面部２ａの略中心箇所には、下部挿し孔２１が形成されている。該下部挿し孔２１は、下方支持体２に一つのみ形成されており、生花８の茎８１を差し込む部位であって、生花８の花びら箇所を飾る役目をなす。
【００２３】
また、下部挿し孔２１の周囲には略放射状となるように線状或いは筋状とした複数の小切込２１ａ，２１ａ,…が形成されている。前記下部挿し孔２１に、前記生花８の茎８１
が差し込まれるときには、前記小切込２１ａ，２１ａ,…によって、前記茎８１と共に、
前記下部挿し孔２１の周囲の部分が、前記下方支持体２の表面側から裏面側に（下方に）向かって折れ曲がり、前記生花８の茎８１が下部挿し孔２１の周囲の部分に引っ掛かり、茎８１が下部挿し孔２１から極めて抜け難い構造にすることができるものである。
【００２４】
さらに、前記下方支持体２には、下部挿し孔２１の周囲に小挿し孔２２，２２,…が形
成されている。該小挿し孔２２は、生花８の葉の枝等を差し込むものである。前記下方支持体２に形成された下部挿し孔２１に、生花８の茎８１が差し込まれ、前記下部挿し孔２１の周囲に形成された小挿し孔２２，２２,…に葉の枝又は細い茎を有する生花８（すなわち小形生花）が差し込まれることによって、生花８の花びら部分と葉の部分との外観をより一層際立たせることができる。
【００２５】
収納凹部１１には、ゲル剤５が入れられている（図４参照）。該ゲル剤５は、保湿作用をなすジェリー状の軟質材であり、形状を維持することはないが、広く拡散することがないようになっている。ゲル剤５は、筐体４に装着した生花８の茎８１が漬かっており、水分（栄養分）を与える役目をなす。ゲル剤５は、通常の園芸用のものが使用される。前記ゲル剤５によって生花８の鮮度を葬祭が催される数日間に亘って、良好に維持することができる。
【００２６】
上方支持体３は、図３，図４に示すように、山形状部３１と上部挿し孔３２と固定片３３，３３とから構成される。山形状部３１と前記固定片３３，３３とは、一枚の帯状材から一体的に形成されるものであり、前記下方支持体２と同様に紙材ｍから形成されたものである。したがって上方支持体３においても、紙材ｍは、防水性を有するものが使用されることもあり、紙材ｍの表面に樹脂層が設けられた防水性又は耐水性としたものである。
【００２７】
前記上方支持体３には、複数の実施形態が存在する。その第１実施形態では、図３，図４に示すように、前記山形状部３１は、２本の脚状部３１ａ，３１ａから形成され、両脚状部３１ａ，３１ａによって略三角山形状を構成している。そして、それぞれの脚状部３１ａ，３１ａの下端から前記固定片３３，３３が形成されている。実際には、前記両脚状部３１ａ，３１ａと両固定片３３，３３は、一枚の紙材ｍによって一体形成される〔図３（Ａ）参照〕。また、前記山形状部３１は、略長方形状の帯状材を長手方向略中間にて折曲形成されて両脚状部３１ａ，３１ａが形成されものであり、両脚状部３１ａ，３１ａの折曲位置を略左右対称となる中心位置として、上部挿し孔３２が形成されている〔図３（Ｂ）参照〕。実際には、前記上部挿し孔３２は、両脚状部３１ａ，３１ａの上端位置に略半円状の貫通として形成されている〔図３（Ｂ），図４参照〕。
【００２８】
また、前記上方支持体３の第２実施形態では、図５に示すように、山形状部３１が、２本の脚状部３１ａ，３１ａと、上板部３１ｂとから構成されるものである。具体的には、上板部３１ｂの幅方向両側から脚状部３１ａ，３１ａが形成されたものである。前記上板部３１ｂについても、前記脚状部３１ａ，３１ａと共に前記紙材ｍから一体形成されるものである。そして、前記上板部３１ｂに前記上部挿し孔３２が形成されている。上板部３１ｂは、平坦状に形成されており、前記両脚状部３１ａ，３１ａと共に略台形山形状を構成するものである〔図５（Ａ）参照〕。第２実施形態の変形例として、前記上板部３１ｂは、幅方向の略中央箇所を高位置として、折り曲げ箇所を設け略三角形状に形成されるタイプも存在する〔図５（Ｂ）参照〕。さらに、第２実施形態の別の変形例として前記上板部３１ｂの幅方向の略中央箇所が低位置として折り曲げ箇所を設け、略Ｖ字形状に形成されることもある〔図５（Ｃ）参照〕。
【００２９】
前記山形状部３１の両脚状部３１ａ，３１ａは、その上端箇所が下端箇所よりも近接する形状としたもので、前述したように、略三角山形状（図４参照）又は略台形山形状（図５参照）である。上方支持体３は、前記両固定片３３，３３が収納凹部１１と下方支持体２との間に挿入されるようにして挿し込まれることによって、前記収納凹部１１の開口面より収納凹部１１に固定される。具体的には、前記両固定片３３，３３が前記収納凹部１１に装着された下方支持体２の対向する両差込み片２ｂ，２ｂと、収納凹部１１の両内周壁面１１ａ，１１ａとの間に挿入される状態となる〔図４（Ｂ），図５参照〕。
【００３０】
このように上方支持体３が固定されることで、該上方支持体３は、収納凹部１１の開口部から突出した両脚状部３１ａ，３１ａによって、アーチ構造を構成することになる。そのために、上方支持体３の幅方向に対する横荷重に対して両脚状部３１ａ，３１ａの一方側は引張荷重に対応し、他方側は圧縮荷重に対応するものであり、構造的に極めて強固なものとなる。そして、上方支持体３の門形状部３に水平方向の荷重が作用して、変形しても、復元力となる反力Ｆが作用し、門形状部３は元の形状に戻り生花８も略垂直状を維持することができる〔図４（Ｃ）参照〕。
【００３１】
なお、上方支持体３は、両脚状部３１ａ，３１ａを略平行として、前記上板部３１ｂと共に略門形状に形成されることもあるが、この門形状とした構成についても、前記山形状部３１の形状の実施形態の範囲に含まれるものである。本発明において使用される棺桶９は、一般に使用されるものであり、蓋体９１が扁平裁頭四角錐形状としたものである〔図１（Ａ），（Ｂ），図６参照〕。蓋体９１は、頂面部９１ａの外周に傾斜面部９１ｂが形成されている。傾斜面部９１ｂは、頂面部９１ａの外周縁から下方に向かって傾斜する面である。
【００３２】
次に、本発明における生花装飾具の組付について説明する。まず、前記下方支持体２の４個の差込片２ｂ，２ｂ，…がベース体１の前記収納凹部１１に収納される〔図３（Ａ），図４（Ａ）参照〕。差込み片２ｂの下端は収納凹部１１の底面１１ｂに当接されると共に、前記支持面部２ａは、収納凹部１１の開口すなわち表面部１ａより僅かに低い位置に設定された状態で、収納凹部１１が覆われる〔図３（Ｂ），図４参照〕。次に、前記上方支持体３の固定片３３，３３が前記収納凹部１１と前記下方支持体２の差込片２ｂ，２ｂ，…との間に差し込まれて、上方支持体３が収納凹部１１に固定される〔図３（Ｂ），図４（Ｂ）参照〕。
【００３３】
生花８は、その茎８１が前記下方支持体２の下部挿し孔２１と、上方支持体３の上部挿し孔３２を貫通しつつ、収納凹部１１内に収納されたゲル剤５に漬けられる。生花８の茎８１は、下方支持体２と上方支持体３とによって略直立状態で設置されることができる〔図４（Ｂ），（Ｃ）参照〕。このように生花８は、前記収納凹部１１内に設けれたゲル剤５と、下方支持体２と、上方支持体３によって、茎８１の長手方向に沿って適宜の間隔をおいて支持されるものであり、生花８の良好な装飾状態を維持することができる。ベース体１の複数の収納凹部１１に生花８が装飾された状態で、ベース体１が棺桶９の蓋体９１の頂面部９１ａの適宜の箇所に前記接合材１３によって固着される〔図６（Ｂ）参照〕。また、ベース体１は、蓋体９１の頂面部９１ａ前記ベース体１を載せておくだけでもかまわない。
【００３４】
本発明では、特に前記棺桶９の蓋体９１を取り外して、該蓋体９を祭壇又は壁面に立て掛けておく場合に生花８の花びらが下方に垂れてしまうこと防止できる。すなわち、葬祭場で葬儀が行われた場合に、遺体と参列者との対面や最後の別れの儀式等のときに、棺桶９から蓋体９１が外されて、該蓋体９が祭壇又は壁等に立て掛けられた状態にされることがある〔図９（Ａ）参照〕。この場合には、前記収納凹部１１も前記蓋体９と同様に直立状態に近い傾斜状態となることになる。
【００３５】
そのために、生花８の花びら８３は、その自重Ｗによって、垂れ下がってしまうことになり、参列者が見ると極めて見苦しい状態になることがある。そこで、前記蓋体９１が壁等に立て掛けられた状態で、前記ベース体１の収納凹部１１に装着された下方支持体２と上方支持体３とによって、生花８を支持する構成にできる。上方支持体３は、生花８の花びら８３を支持することになり、安定を維持することができる。すなわち、花びら８３の自重Ｗによる垂れ下がりに対して上方支持体３に反力Ｆが作用して、該上方支持体３が生花８を支持し、花びら８３の垂れ下がりを防止し、生花８を整然とした美しい状態で飾ることができるものである〔図９（Ｂ）参照〕。
【００３６】
本発明では、前記ベース体１，下方支持体２及び上方支持体３と共に、筐体４が使用されることもある（図８参照）。筐体４は、前記ベース体１の収納凹部１１に収まるサイズに形成されたものであり〔図８（Ｂ）参照〕、立方体状の容器として形成されたものであり〔図８（Ｃ）参照〕、その材質は、前記下方支持体２及び上方支持体３と同様に紙材ｍが使用されるものであって、一枚の紙材ｍが適宜に折り曲げられて形成される。紙材ｍは表面に樹脂層が設けられた防水性又は耐水性としたものである。
【００３７】
まず、前記筐体４が、前記ベース体１のそれぞれの収納凹部１１に埋め込まれるようにして装着される。そして、筐体４内に前記下方支持体２の両差込み片２ｂ，２ｂが挿入され、差込み片２ｂと筐体４の内面との間に上方支持体３の固定片３３が挿し込まれるようにして、筐体４に下方支持体２と上方支持体３とが固定される。また、前記筐体４内部には、前記ゲル剤５が設けられる。また、筐体４の下面には、接合材４１が装着されおり、前記収納凹部１１に固着される〔図８（Ａ），（Ｂ）参照〕。
【００３８】
前記ベース体１は、棺桶９の蓋体９１の傾斜面部９１ｂの装着に適応するタイプも存在する（図１０参照）。このタイプのベース体１は、前記傾斜面部９１ｂに装着された状態で、表面部１ａが傾斜面となり、側面部１ｃは水平面及び直角面となり、前記表面部１ａ，下面部１ｂ及び両側面部１ｃ，１ｃによって、その幅方向断面形状は台形状である〔図１０（Ａ），（Ｂ）参照〕。
【００３９】
ベース体１の前記収納凹部１１，１１，…は、主に表面部１ａに一列状に形成される。また、ベース体１が蓋体９１の傾斜面部９１ｂに固着された状態で、蓋体９１の頂面部９１ａ寄りの側面部１ｃにも前記収納凹部１１，１１，…が一列状に形成される〔図１０（Ａ），（Ｂ）参照〕。特に、側面部１ｃに形成される収納凹部１１，１１，…は、前記底面１１ｂが存在しない貫通状とした略切欠き形状となる〔図１０（Ａ），（Ｃ）参照〕。傾斜面部９１ｂに装着されるベース体１は、前述したように接合材１３を介して蓋体９１の傾斜面部９１ｂに固着される。
【００４０】
そして、前述したように、表面部１ａの収納凹部１１には、下方支持体２と上方支持体３とが共に装着されて生花８が棺桶９の蓋体９１の傾斜面部９１ｂに飾り付けられる。また、ベース体１の側面部１ｃでは、前述したように収納凹部１１が略切欠き形状となるために、前記筐体４が共に使用され、前記下方支持体２及び上方支持体３は筐体４に装着され、該筐体４が略切欠き形状とした収納凹部１１に配置され、筐体４の下面に装着された接合材４１によって前記傾斜面部９１ｂに直接固着される。また、前記棺桶９の蓋体９１の傾斜面部９１ｂには、ベース体１を使用しないで、筐体４と下方支持体２と上方支持体３のみが装着され、生花８が飾り付けられる構成も存在する。
【００４１】
また、前記ゲル剤５と共に吸水性スポンジ６が収納凹部１１に収納配置される実施形態が存在する（図１１，図１２参照）。該吸水性スポンジ６は、種々の樹脂（たとえばフェノール樹脂又はウレタン樹脂等）から形成されたもので、直方体，円筒形状等の種々の塊状態に形成されたものである〔図１１（Ｂ），（Ｃ）参照〕。水に入れることで、水を吸い込み十分な水分を蓄えることができる。さらに、通常では、一定の形状を維持し、生花８の茎８１を差し込む場合には、極めて容易に差し込むことができる。また茎８１を差し込むときにも、該茎８１が差し込まれた部位の周囲は崩れることがほとんどない構造となっている。
【００４２】
前記吸水性スポンジ６は、図１１（Ａ）に示すように、収納凹部１１の底面１１ｂに配置され、吸水性スポンジ６の上方に前記ゲル剤５が配置される。すなわち、生花８が収納凹部１１に備えられるときには茎８１は、その下端が吸水性スポンジ６の水分を吸収し、ゲル剤５から栄養分を吸収することができる。さらに、吸水性スポンジ６は、一定の形状をほとんどくずすこと無く、維持することができるものであり、生花８の茎８１が差し込まれた状態では、収納凹部１１内に極めて安定且つ強固な状態で支持されるものである。
【００４３】
吸水性スポンジ６は、略方形状の板形状に形成される〔図１１（Ｃ）参照〕。そして、吸水性スポンジ６の平面形状は、前記収納凹部１１の底面１１ｂの形状と略同等形状に形成される〔図１１（Ｂ），（Ｄ）参照〕。すなわち、吸水性スポンジ６は、収納凹部１１の底面１１ｂと４面の内周壁面１１ａ，１１ａ，…の下方領域の部分にて構成された立方体に形成される。この場合の吸水性スポンジ６は、その平面形状と、収納凹部１１の底面１１ｂの形状及び大きさが一致しており、また、僅かに吸水性スポンジ６の平面形状が大きくても収納凹部１１に押し込むようにすれば、容易に底面１１ｂに接触する位置まで挿入することができる。
【００４４】
このように、吸水性スポンジ６を、その平面形状が、前記収納凹部１１の底面１１ｂの形状と略同等形状に形成された立体形状の板片とすることで、吸水性スポンジ６の外周の４側面は、収納凹部１１の４個の内周壁面１１ａ，１１ａ，…にそれぞれ接触する状態となり、吸水性スポンジ６の下面は、収納凹部１１の底面１１ｂに接触し、吸水性スポンジ６が収納凹部１１によって不動状態に支持される〔図１１（Ａ）参照〕。
【００４５】
この状態で、吸水性スポンジ６の上方にゲル剤５が配置されるものであり、収納凹部１１に生花８を供えるときには、茎８１がゲル剤５を通過して、不動状態の吸水性スポンジ６に差し込まれる。これによって、茎８１は、極めて強固に支持されることになり、生花８は、ゲル剤５と吸水性スポンジ６との両方による水分補給と、栄養分補給とを得ることができ、鮮度をより一層長持ちさせると共に、茎８１が常時直線状となり、茎８１の倒れを防止できる。特に、棺桶９の蓋体９１を取り外して、該蓋体９を祭壇又は壁面に立て掛けておく場合の生花８の花びらが下方に垂れることを、前記上方支持体３を使用した場合と略同様に防止できる〔図１２（Ａ）参照〕。
【００４６】
さらに、前述した棺桶９の蓋体９１の傾斜面部９１ｂに装着されるタイプの前記ベース体１では、収納凹部１１は傾斜状態であり、吸水性スポンジ６を使用するには、好適である〔図１２（Ｂ）参照〕。また、吸水性スポンジ６は、ゲル剤５と共に収納凹部１１に配置されるときには、前述したように下方支持体２も収納凹部１１に装着される〔図１１（Ａ），（Ｂ）参照〕。したがって、実際には、吸水性スポンジの外周側面と収納凹部１１の内周壁面１１ａ，１１ａとの間に下方支持体２の差込み片２ｂ，２ｂが介在されるものであるが、差込み片２ｂ，２ｂは厚さが極めて薄いので、収納凹部１１と吸水性スポンジ６との間に容易に挿入することができる〔図１１（Ｄ）参照〕。さらに、収納凹部１１に前記筐体４を介して生花８を装飾するときには、前記吸水性スポンジ６は筐体４に配置されることもある〔図１２（Ｃ）参照〕。吸水性スポンジ６を筐体４に配置する場合においても、吸水性スポンジ６の平面形状を筐体４の底面形状に略一致させることが好ましい。
【符号の説明】
【００４７】
１…ベース体、１１…収納凹部、１３…接合材、２…下方支持体、２ａ…支持面部、
２ｂ…差込み片、２１…下部挿し孔、３…上方支持体、３１…山形状部、
３１ａ…脚状部、３１ｂ…上板部、３２…上部挿し孔、３３…固定片、５…ゲル剤、
６…吸水性スポンジ、９…棺桶、９１…蓋体。
【図１】
2011152399.tif 000003
【図２】
2011152399.tif 000004
【図３】
2011152399.tif 000005
【図４】
2011152399.tif 000006
【図５】
2011152399.tif 000007
【図６】
2011152399.tif 000008
【図７】
2011152399.tif 000009
【図８】
2011152399.tif 000010
【図９】
2011152399.tif 000011
【図１０】
2011152399.tif 000012
【図１１】
2011152399.tif 000013
【図１２】
2011152399.tif 000014
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
棺桶の蓋体に生花を供えるためのものであって、生花が差し込まれる下部挿し孔が形成されると共に略方形状の支持面部の各辺に差込み片が形成された下方支持体と、２本の脚状部からなり上部に上部挿し孔が形成された山形状部と前記両脚状部の下端を固定片とした上方支持体と、前記下方支持体の差込み片及び前記上部支持体の固定片が収納される複数の収納凹部が形成され且つ発泡合成樹脂にて形成されたベース体とからなり、前記下方支持体が前記収納凹部に収納され、前記両固定片が前記収納凹部に装着された下方支持体の対向する両差込み片と、収納凹部の両内周壁面との間に挿入され、且つ前記上方支持体の上部挿し孔の位置は前記下部挿し孔の位置から上方に適宜の間隔を有してなり、前記ベース体の収納凹部にはゲル剤が設けられてなることを特徴とする棺桶の生花支持装置。
【請求項２】
請求項１において、前記上方支持体の山形状部は略長方形状の帯状材を長手方向略中間にて折曲形成されて両脚状部が形成されると共に、該両脚状部の折曲位置を略中心位置にして上部挿し孔が形成されてなることを特徴とする棺桶の生花装飾具。
【請求項３】
請求項１において、前記上方支持体の山形状部は上板部の幅方向両側に前記脚状部が形成され、前記上板部に前記上部挿し孔が形成されてなることを特徴とする棺桶の生花装飾具。
【請求項４】
請求項３において、前記上板部は幅方向の略中央箇所を高位置として略三角形状に形成されてなることを特徴とする棺桶の生花装飾具。
【請求項５】
請求項３において、前記上板部は幅方向の略中央箇所を低位置として略Ｖ字形状に形成されてなることを特徴とする棺桶の生花装飾具。
【請求項６】
請求項１，２，３，４又は５のいずれか１項の記載において、前記ベース体の下面側には接合材が装着されてなることを特徴とする棺桶の生花装飾具。
【請求項７】
請求項１，２，３，４，５又は６のいずれか１項の記載において、前記ベース体の収納凹部には塊状の吸水性スポンジが配置され、該吸水性スポンジの上方に前記ゲル剤が配置されてなることを特徴とする棺桶の生花支持装置。
【請求項８】
請求項７において、前記吸水性スポンジは、その平面形状が前記収納凹部の底面の形状と略同等形状とした板状体としたことを特徴とする棺桶の生花支持装置。
【手続補正２】
【補正対象書類名】明細書
【補正対象項目名】０００６
【補正方法】変更
【補正の内容】
【０００６】
そこで、発明者は、上記課題を解決すべく、鋭意、研究を重ねた結果、請求項１の発明を、棺桶の蓋体に生花８を供えるためのものであって、生花が差し込まれる下部挿し孔が形成されると共に略方形状の支持面部の各辺に差込み片が形成された下方支持体と、２本の脚状部からなり上部に上部挿し孔が形成された山形状部と前記両脚状部の下端を固定片とした上方支持体と、前記下方支持体の差込み片及び前記上部支持体の固定片が収納される複数の収納凹部が形成され且つ発泡合成樹脂にて形成されたベース体とからなり、前記下方支持体が前記収納凹部に収納され、前記両固定片が前記収納凹部に装着された下方支持体の対向する両差込み片と、収納凹部の両内周壁面との間に挿入され、且つ前記上方支持体の上部挿し孔の位置は前記下部挿し孔の位置から上方に適宜の間隔を有してなり、前記ベース体の収納凹部にはゲル剤が設けられてなる棺桶の生花支持装置としたことにより、上記課題を解決した。
【手続補正３】
【補正対象書類名】明細書
【補正対象項目名】０００７
【補正方法】変更
【補正の内容】
【０００７】
請求項２の発明を、請求項１において、前記上方支持体の山形状部は略長方形状の帯状材を長手方向略中間にて折曲形成されて両脚状部が形成されると共に、該両脚状部の折曲位置を略中心位置にして上部挿し孔が形成されてなる棺桶の生花装飾具としたことにより、上記課題を解決した。請求項３の発明を、請求項１において、前記上方支持体の山形状部は上板部の幅方向両側に前記脚状部が形成され、前記上板部に前記上部挿し孔が形成されてなる棺桶の生花装飾具としたことにより、上記課題を解決した。。
【手続補正４】
【補正対象書類名】明細書
【補正対象項目名】０００８
【補正方法】変更
【補正の内容】
【０００８】
請求項４の発明を、請求項３において、前記上板部は幅方向の略中央箇所を高位置として略三角形状に形成されてなる棺桶の生花装飾具としたことにより、上記課題を解決した。請求項５の発明を、請求項３において、前記上板部は幅方向の略中央箇所を低位置として略Ｖ字形状に形成されてなる棺桶の生花装飾具としたことにより、上記課題を解決した。請求項６の発明を、請求項１，２，３，４又は５のいずれか１項の記載において、前記ベース体の下面側には接合材が装着されてなる棺桶の生花装飾具としたことにより、上記課題を解決した。
【手続補正５】
【補正対象書類名】明細書
【補正対象項目名】０００９
【補正方法】変更
【補正の内容】
【０００９】
請求項７の発明を、請求項１，２，３，４，５又は６のいずれか１項の記載において、前記ベース体の収納凹部には塊状の吸水性スポンジが配置され、該吸水性スポンジの上方に前記ゲル剤が配置されてなる棺桶の生花支持装置としたことにより、上記課題を解決した。請求項８の発明を、請求項７において、前記吸水性スポンジは、その平面形状が前記収納凹部の底面の形状と略同等形状とした板状体とした棺桶の生花支持装置としたことにより、上記課題を解決した。
【手続補正６】
【補正対象書類名】明細書
【補正対象項目名】００１２
【補正方法】変更
【補正の内容】
【００１２】
さらに請求項１の発明では、前記ベース体は、発泡合成樹脂から形成されたことにより、軽量化することができ、取り扱い易いものにできる。さらに、ベース体が発泡合成樹脂から形成されることで、防水性が有り、一体成形等により加工し易く、低価格にでき、量産に好適である。また、請求項１の発明では、ゲル剤を設けたことにより生花を葬祭の期間中において、新鮮に維持することができる。請求項２の発明では、上方支持体の山形状部は略長方形状の帯状材を長手方向略中間にて折曲形成されて両脚状部が形成され、該両脚状部の折曲位置を略中心として上部挿し孔が形成される構成としたものである。よって、前記帯状材を長手方向略中間にて折曲形成するのみで、その折曲箇所に上部挿し孔が位置する形状が極めて簡単に製造することができる。しかも上方支持体をこのような形状とすることで、該上方支持体をベース体の収納凹部に下方支持体と共に極めて簡易に装着することができる。
【手続補正７】
【補正対象書類名】明細書
【補正対象項目名】００１３
【補正方法】変更
【補正の内容】
【００１３】
請求項３の発明では、上方支持体の山形状部に上板部が設けられ、該上板部に上部挿し孔が形成される構成としたものである。したがって、上部挿し孔の周縁部分の構造が強固となり、上部挿し孔による生花の茎の支持を安定させることができる。請求項４の発明では、上板部は幅方向の略中央箇所を高位置として略三角形状に形成されることにより、上方支持体を比較的強固な構造にすることができる。請求項５の発明では、上板部は幅方向の略中央箇所を低位置として略Ｖ字形状に形成されたことにより上板部によって生花の花びら部分を安定した状態で支持することができる。請求項６の発明では、ベース体を棺桶の蓋体に極めて簡単に装着することができる。
【手続補正８】
【補正対象書類名】明細書
【補正対象項目名】００１４
【補正方法】変更
【補正の内容】
【００１４】
請求項７の発明では、前記吸水性スポンジが収納凹部に配置され、その上方にゲル剤が配置されるので、生花の茎の下端が吸水性スポンジの水分を吸収し、その上方のゲル剤から栄養分を吸収することができる。さらに、塊状の吸水性スポンジは、一定の形状を維持することができるものであり、生花の茎が差し込まれた状態では、収納凹部内に極めて安定且つ強固な状態で支持されることができる。さらに、前記吸水性スポンジに水分を滲み込ませておき、該吸水性スポンジ上にゲル剤が配置される構成としているので、生花の茎を吸水性スポンジに差し込むことにより、茎からの水上げを良好に保持し、生花を新鮮な状態に長時間維持することができ、生花がしおれて不良な状態になることを防止できる。
【手続補正９】
【補正対象書類名】明細書
【補正対象項目名】００１５
【補正方法】変更
【補正の内容】
【００１５】
請求項８の発明では、吸水性スポンジは、平面形状が前記収納凹部の底面の形状と略同等形状に形成され、立体形状の板片となることで、吸水性スポンジの外周の４側面は、収納凹部の４個の内周壁面にそれぞれ接触し、吸水性スポンジの下面は収納凹部の底面に接触し、吸水性スポンジが不動状態に支持されることになる。これによって、茎は、不動状態の吸水性スポンジによって、強固に支持され、ゲル剤と吸水性スポンジとの両方による水分補給と、栄養分補給とを得ると共に、鮮度をより一層長持ちさせると共に、茎が常時直線状となり、茎の倒れを防止できるものである。